【手続補正書】
【提出日】平成24年3月23日(2012.3.23)
【手続補正１】
【補正対象書類名】明細書
【補正対象項目名】００７９
【補正方法】変更
【補正の内容】
【００７９】
本出願では、以下の態様が提供される。
１．  スライド塗布の方法であって、少なくとも１種の溶媒と少なくとも１種の高分子とを含む第１の流体を提供し、複数ユニット高分子前駆体を含む第２の流体を提供し、前記第１の流体を第１のスライド面を下るように流して、前記第１のスライド面上に前記第１の流体層を形成し、前記第１のスライド面は基体に隣接して配置されており、前記第２の流体を第２のスライド面を下るように流し、前記第２のスライド面は、前記第２の流体が前記第２のスライド面から前記第１のスライド面の上方へ流れて前記第１の流体層上に至って前記第１のスライド面上に前記第２の流体層を形成するように前記第１のスライド面に対して配置されており、前記第１の流体層と前記第２の流体層を前記第１のスライド面から前記基体に流すことによって、前記基体を前記第１と第２の流体で塗布し、前記基体を移動し、前記第１の流体、前記第２の流体、又はこれらの何らかの組み合わせを硬化させることを含み、前記第１の流体中の前記少なくとも１種の溶媒が、前記第２の流体の前記第２の複数ユニット高分子前駆体と相溶性を有し、前記第１の流体の高分子が基体と相溶性を有する、方法。
２．  前記第１の流体が、少なくとも約２．２重量％の前記高分子を含む、態様１に記載の方法。
３．  前記第１の流体が約５センチポイズ以下の粘度を有する、態様１又は２に記載の方法。
４．  前記第１の流体が、前記基体上に約１０マイクロメートル以下の厚さで塗布される、態様１〜３のいずれか一項に記載の方法。
５．  前記第２の流体が、更に、単一ユニット高分子前駆体を含む、態様１〜４のいずれか一項に記載の方法。
６．  前記第２の流体が、更に、１種以上の溶剤を含む、態様１〜５のいずれか一項に記載の方法。
７．  前記第２の流体が約１０重量％以下の水を含有する、態様１〜６のいずれか一項に記載の方法。
８．  前記複数ユニットポリマー前駆体がアクリレートである、態様１〜７のいずれか一項に記載の方法。
９．  前記複数ユニット高分子前駆体が、エポキシアクリレート、ウレタンアクリレート、カルボン酸、半エステル、ポリエステルアクリレート、アクリル酸アクリレート、又はこれらの組み合わせである、態様８に記載の方法。
１０．  前記第２の流体が、総樹脂量に基づき約１５重量％を超える高分子成分を有さない、態様１〜９のいずれか一項に記載の方法。
１１．  前記第２の流体の粘度が、前記第１の流体の粘度の少なくとも約１０倍である、態様１〜１０のいずれか一項に記載の方法。
１２．  前記第２の流体がビーズを更に含有する、態様１〜１１のいずれか一項に記載の方法。
１３．  前記第２の流体が、約１０ミクロン以上の厚さで前記基体上に塗布される、態様１〜１２のいずれか一項に記載の方法。
１４．  前記第１の流体、前記第２の流体及びこれらの何らかの組み合わせの少なくとも一部分を硬化前に乾燥させる段階を更に含む、態様１〜１３のいずれか一項に記載の方法。
１５．  硬化が紫外線放射源、赤外線放射源、Ｘ線源、γ線源、可視光源、マイクロ波源、電子ビーム源、熱、又はそれらの組み合わせを使用して達成される、態様１〜１４のいずれか一項に記載の方法。
１６．  前記基体が、少なくとも約０．５メートル／秒の速度で移動される、態様１〜１５のいずれか一項に記載の方法。
１７．  前記第１の流体中の前記高分子が、前記基体に対する前記第１の流体層の接着を強化する、態様１〜１６のいずれか一項に記載の方法。
１８．  前記第１の流体中の前記高分子が、硬化後に前記複数ユニット高分子前駆体と同じではない、態様１〜１７のいずれか一項に記載の方法。
１９．  スライド塗布の方法であって、少なくとも１種の溶媒と、第１の単一ユニット高分子前駆体、第１の複数ユニット高分子前駆体又はこれらの組み合わせを含む高分子成分とを含む第１の流体を提供し、第２の複数ユニット高分子前駆体を含む第２の流体を提供し、前記第１の流体を第１のスライド面を下るように流して、前記第１のスライド面上に前記第１の流体層を形成し、前記第１のスライド面は基体に隣接して配置されており、前記第２の流体を第２のスライド面を下るように流し、前記第２のスライド面は、前記第２の流体が前記第２のスライド面から前記第１のスライド面の上方へ流れて前記第１の流体層上に至って前記第１のスライド面上に前記第２の流体層を形成するように前記第１のスライド面に対して配置されており、前記第１の流体層と前記第２の流体層を前記第１のスライド面から前記基体に流すことによって、前記基体を前記第１と第２の流体でコーティングし、ロールの使用を介して前記基体を前記第１のスライド面を通過させて移動し、前記第１の流体、前記第２の流体、又はこれらの何らかの組み合わせを硬化させる段階とを含み、前記第１の流体中の前記少なくとも１種の溶媒が、前記第２の流体の前記第２の複数ユニット高分子前駆体と相溶性を有し、前記第１の流体の前記高分子成分が、前記基体と相溶性を有し、前記基体に対する前記第１の流体層の前記接着を強化する、方法。
２０．  前記第１の流体、前記第２の流体又はこれらの何らかの組み合わせの少なくとも一部分を硬化前に乾燥させる段階を更に含む、態様１９に記載の方法。
２１．  前記基体が、前記ローラ上を少なくとも約０．５メートル／秒の速度で移動する、態様１９及び２０のいずれか一項に記載の方法。
このように、２種以上の流体のスライド塗布の方法の実施形態が開示される。本開示が、開示されたもの以外の実施形態で実施されうることは当業者には理解されよう。開示される実施形態は限定を目的としたものではなく説明を目的として示したものであり、本開示は以下の特許請求の範囲によってのみ限定されるものである。
【手続補正２】
【補正対象書類名】特許請求の範囲
【補正対象項目名】全文
【補正方法】変更
【補正の内容】
【特許請求の範囲】
【請求項１】
スライド塗布の方法であって、
少なくとも１種の溶媒と少なくとも１種の高分子とを含む第１の流体を提供し、
複数ユニット高分子前駆体を含む第２の流体を提供し、
前記第１の流体を第１のスライド面を下るように流して、前記第１のスライド面上に前記第１の流体層を形成し、前記第１のスライド面は基体に隣接して配置されており、
前記第２の流体を第２のスライド面を下るように流し、前記第２のスライド面は、前記第２の流体が前記第２のスライド面から前記第１のスライド面の上方へ流れて前記第１の流体層上に至って前記第１のスライド面上に前記第２の流体層を形成するように前記第１のスライド面に対して配置されており、
前記第１の流体層と前記第２の流体層を前記第１のスライド面から前記基体に流すことによって、前記基体を前記第１と第２の流体で塗布し、
前記基体を移動し、
前記第１の流体、前記第２の流体、又はこれらの何らかの組み合わせを硬化させることを含み、
前記第１の流体中の前記少なくとも１種の溶媒が、前記第２の流体の前記第２の複数ユニット高分子前駆体と相溶性を有し、前記第１の流体の高分子が基体と相溶性を有する、方法。
【請求項２】
前記第１の流体が、少なくとも約２．２重量％の前記高分子を含む、請求項１に記載の方法。
【請求項３】
前記第１の流体が約５センチポイズ以下の粘度を有し、前記第１の流体が前記基体上に約１０マイクロメートル以下の厚さで塗布され、且つ前記第２の流体が更に単一ユニット高分子前駆体、１種以上の溶剤及び約１０重量％以下の水を含有する、請求項１に記載の方法。